(57)【要約】【課題】各患者に対して適切な服薬指導を支援することができる薬剤師業務支援システムを提供する。【解決手段】調剤業務等において薬学的知見に基づく薬剤師の業務を支援する薬剤師業務支援システムである。患者が過去から現在までに服用した複数の薬剤の服用歴を含む患者データに基づいて、患者が今後服用する薬剤のうち、服用期間が短い薬剤の方の副作用情報を優先的に表示する。各患者に対して、その時点で、最も発現する可能性が高くかつ発現すると重大な被害になりうる副作用を予防するための適切な服薬指導を支援する。【選択図】図９
2020013512.tif 000002
【特許請求の範囲】
【請求項１】
薬剤師の業務を支援する薬剤師業務支援システムであって、
患者が過去から現在までに服用した複数の薬剤の服用歴を含む患者データに基づいて、前記患者が今後服用する薬剤のうち、服用期間が短い薬剤の方の副作用情報を優先的に表示する
ことを特徴とする薬剤師業務支援システム。
【請求項２】
請求項１記載の薬剤師業務支援システムにおいて、
前記患者データは、前記患者の性別、年齢、罹病歴、アレルギー歴のいずれかを含む患者属性を更に含み、
前記患者が今後服用する薬剤のうち、前記患者属性に基づく副作用リスクの大きい薬剤の方の副作用情報を優先的に表示する
ことを特徴とする薬剤師業務支援システム。
【請求項３】
請求項１又は２記載の薬剤師業務支援システムにおいて、
前記薬剤の服用期間とは、前記患者が前記薬剤を最初に服用した日からの期間である
ことを特徴とする薬剤師業務支援システム。
【請求項４】
請求項１乃至３のいずれかに記載の薬剤師業務支援システムにおいて、
前記薬剤の副作用情報は、前記薬剤の複数の副作用と、前記複数の副作用の服用期間別の発現頻度を含み、
前記複数の副作用のうち、最も短い服用期間での発現頻度が高い副作用の方を優先的に表示する
ことを特徴とする薬剤師業務支援システム。
【請求項５】
請求項１乃至４のいずれか１項に記載の薬剤師業務支援システムにおいて、
前記複数の薬剤のうち、ハイリスク薬の薬剤の方の副作用情報を優先的に表示する
ことを特徴とする薬剤師業務支援システム。
【請求項６】
薬剤師の業務を支援する薬剤師業務支援システムであって、
患者の肝機能、腎機能、血球数、血糖値、血清脂質、電解質、血清蛋白質、ＱＴ間隔、呼吸機能のいずれかの検査の検査値、又は、脈拍、血圧、体温のいずれかのバイタルのバイタルデータを含む患者検査データに基づいて、前記患者の前記検査値又は前記バイタルデータが所定の閾値を超えた場合には、複数の薬剤のうち、前記所定の閾値を超えた前記検査又は前記バイタルが示す生理学的機能が低下した患者に対して注意を必要とする薬剤の方の副作用情報を優先的に表示する
ことを特徴とする薬剤師業務支援システム。
【請求項７】
請求項６記載の薬剤師業務支援システムにおいて、
前記患者検査データは、前記患者の肝機能の検査値又は腎機能の検査値であり、
前記患者の肝機能の検査値又は腎機能の検査値が所定の閾値を超えた場合には、前記複数の薬剤のうち、肝機能障害の患者又は腎機能障害の患者に対して注意を必要とする薬剤の方の副作用情報を優先的に表示する
ことを特徴とする薬剤師業務支援システム。
【請求項８】
薬剤師の業務を支援する薬剤師業務支援システムであって、
副作用が引き起こす複数の症状が格納された副作用症状テーブルに基づいて、患者に調剤された薬剤について、患者が訴える症状が引き起こされる副作用が、前記薬剤の添付文書に副作用として記載されている場合には、前記薬剤は前記症状に関連する旨を表示する
ことを特徴とする薬剤師業務支援システム。
【発明の詳細な説明】
【技術分野】
【０００１】
本発明は、薬剤師の業務を支援する薬剤師業務支援システム、特に調剤業務等において薬学的知見に基づく薬剤師の業務を支援する薬剤師業務支援システムに関する。
【背景技術】
【０００２】
調剤業務等において薬学的知見に基づく薬剤師の業務を支援する薬剤師業務支援システムが知られている。
【０００３】
従来の薬剤師業務支援システムとして、薬剤の種類及び患者の固有情報に対応付けて、患者への服薬指導項目を記憶する指導項目記憶手段と、薬剤の処方箋を受け付けると、交付する薬剤の種類及び当該薬剤を提供する患者の固有情報に基づいて、指導項目記憶手段から服薬指導項目を抽出する指導項目抽出手段と、指導項目抽出手段が抽出した服薬指導項目を担当者に出力する指導項目出力手段とを備える支援システムが知られている（特許文献１参照）。
【０００４】
他の従来の薬剤師業務支援システムとして、患者に対応付けて処方された処方箋の処方情報を格納する患者処方情報格納手段と、該患者処方情報格納手段に格納された処方情報から抽出された薬剤の副作用と該副作用の初期症状に関する情報を格納する経過確認シート作成情報格納手段と、経過確認シートにより確認された患者の薬歴情報を格納する薬歴情報格納手段と、患者処方情報格納手段に格納された処方情報から薬剤の副作用を抽出すると共に該副作用に対応付けて初期症状を抽出し、該初期症状を副作用の数の多い順に重み付けを行って初期症状別副作用テーブルを作成するテーブル作成手段と、該テーブル作成手段によって作成された初期症状別副作用テーブルの初期症状の中から副作用の多い順に所定数の初期症状を選択し、該選択された初期症状と副作用を患者に対応付けて経過確認シートに出力する初期症状選択手段とを備える薬剤師業務支援システムが知られている（特許文献２参照）。
【先行技術文献】
【特許文献】
【０００５】
【特許文献１】特開２０１４−０５９６７５号公報
【特許文献２】特開２０１０−１５２７０１号公報
【発明の概要】
【発明が解決しようとする課題】
【０００６】
しかしながら、従来の薬剤師業務支援システムは、各患者に対して適切な服薬指導を支援するには不十分であった。
【０００７】
本発明の目的は、各患者に対して適切な服薬指導を支援することができる薬剤師業務支援システムを提供することにある。
【課題を解決するための手段】
【０００８】
本発明に係る薬剤師業務支援システムは、薬剤師の業務を支援する薬剤師業務支援システムであって、患者が過去から現在までに服用した複数の薬剤の服用歴を含む患者データに基づいて、前記患者が今後服用する薬剤のうち、服用期間が短い薬剤の方の副作用情報を優先的に表示することを特徴とする。
【０００９】
上述した薬剤師業務支援システムにおいて、前記患者データは、前記患者の性別、年齢、罹病歴、アレルギー歴のいずれかを含む患者属性を更に含み、前記患者が今後服用する薬剤のうち、前記患者属性に基づく副作用リスクの大きい薬剤の方の副作用情報を優先的に表示するようにしてもよい。
【００１０】
上述した薬剤師業務支援システムにおいて、前記薬剤の服用期間とは、前記患者が前記薬剤を最初に服用した日からの期間であるようにしてもよい。
【００１１】
上述した薬剤師業務支援システムにおいて、前記薬剤の副作用情報は、前記薬剤の複数の副作用と、前記複数の副作用の服用期間別の発現頻度を含み、前記複数の副作用のうち、最も短い服用期間での発現頻度が高い副作用の方を優先的に表示するようにしてもよい。
【００１２】
上述した薬剤師業務支援システムにおいて、前記複数の薬剤のうち、ハイリスク薬の薬剤の方の副作用情報を優先的に表示するようにしてもよい。
【００１３】
本発明に係る薬剤師業務支援システムは、薬剤師の業務を支援する薬剤師業務支援システムであって、患者の肝機能、腎機能、血球数、血糖値、血清脂質、電解質、血清蛋白質、ＱＴ間隔、呼吸機能のいずれかの検査の検査値、又は、脈拍、血圧、体温のいずれかのバイタルのバイタルデータを含む患者検査データに基づいて、前記患者の前記検査値又は前記バイタルデータが所定の閾値を超えた場合には、複数の薬剤のうち、前記所定の閾値を超えた前記検査又は前記バイタルが示す生理学的機能が低下した患者に対して注意を必要とする薬剤の方の副作用情報を優先的に表示することを特徴とする。
【００１４】
上述した薬剤師業務支援システムにおいて、前記患者検査データは、前記患者の肝機能の検査値又は腎機能の検査値であり、前記患者の肝機能の検査値又は腎機能の検査値が所定の閾値を超えた場合には、前記複数の薬剤のうち、肝機能障害の患者又は腎機能障害の患者に対して注意を必要とする薬剤の方の副作用情報を優先的に表示することを特徴とする。
【００１５】
本発明に係る薬剤師業務支援システムは、薬剤師の業務を支援する薬剤師業務支援システムであって、副作用が引き起こす複数の症状が格納された副作用症状テーブルに基づいて、患者に調剤された薬剤について、患者が訴える症状が引き起こされる副作用が、前記薬剤の添付文書に副作用として記載されている場合には、前記薬剤は前記症状に関連する旨を表示することを特徴とする。
【発明の効果】
【００１６】
以上の通り、本発明によれば、薬剤師の業務を支援する薬剤師業務支援システムであって、患者が過去から現在までに服用した複数の薬剤の服用歴を含む患者データに基づいて、前記患者が今後服用する薬剤のうち、服用期間が短い薬剤の方の副作用情報を優先的に表示するようにしたので、各患者に対して、その時点で、最も発現する可能性が高くかつ発現すると重大な被害になりうる副作用を予防するための適切な服薬指導を支援することができる。
【００１７】
以上の通り、本発明によれば、薬剤師の業務を支援する薬剤師業務支援システムであって、患者の肝機能、腎機能、血球数、血糖値、血清脂質、電解質、血清蛋白質、ＱＴ間隔、呼吸機能のいずれかの検査の検査値、又は、脈拍、血圧、体温のいずれかのバイタルのバイタルデータを含む患者検査データに基づいて、前記患者の前記検査値又は前記バイタルデータが所定の閾値を超えた場合には、複数の薬剤のうち、前記所定の閾値を超えた前記検査又は前記バイタルが示す生理学的機能が低下した患者に対して注意を必要とする薬剤の方の副作用情報を優先的に表示するようにしたので、生理学的機能が低下している患者への注意すべき副作用を予防するための適切な服薬指導を支援することができる。
【図面の簡単な説明】
【００１８】
【図１】図１は本発明の一実施形態による薬剤師業務支援システムを示す概略図である。
【図２】図２は本発明の一実施形態による薬剤師業務支援システムを用いた調剤業務のフローチャートである。
【図３】図３は本発明の一実施形態による薬剤師業務支援システムにおける患者薬歴情報画面である。
【図４】図４は本発明の一実施形態による薬剤師業務支援システムにおける副作用指導画面（その１）である。
【図５】図５は本発明の一実施形態による薬剤師業務支援システムにおける副作用指導画面（その２）である。
【図６】図６は本発明の一実施形態による薬剤師業務支援システムにおける患者薬歴テーブルである。
【図７】図７は本発明の一実施形態による薬剤師業務支援システムにおける副作用発現頻度テーブルである。
【図８】図８は本発明の一実施形態による薬剤師業務支援システムにおける副作用症状テーブルである。
【図９】図９は本発明の一実施形態による薬剤師業務支援システムを用いた副作用指導の流れを示すフローチャートである。
【図１０】図１０は本発明の一実施形態による薬剤師業務支援システムにおける副作用指導画面（その３）である。
【図１１】図１１は本発明の一実施形態による薬剤師業務支援システムにおける副作用指導画面（その４）である。
【図１２】図１２は本発明の一実施形態による薬剤師業務支援システムにおける副作用指導画面（その５）である。
【図１３】図１３は本発明の一実施形態による薬剤師業務支援システムにおける副作用指導画面（その６）である。
【図１４】図１４は本発明の一実施形態による薬剤師業務支援システムにおける肝機能障害・腎機能障害注意薬剤テーブルである。
【図１５】図１５は本発明の一実施形態による薬剤師業務支援システムにおける患者薬歴情報画面である。
【図１６】図１６は本発明の一実施形態による薬剤師業務支援システムを用いた副作用確認の流れを示すフローチャートである。
【図１７】図１７は本発明の一実施形態による薬剤師業務支援システムにおける患者症状入力画面である。
【図１８】図１８は本発明の一実施形態による薬剤師業務支援システムにおける副作用確認画面である。
【図１９】図１９は薬剤の添付文書のレイアウトと記載内容を示す図である。
【図２０】図２０は薬剤「ランソプラゾールＯＤ錠３０ｍｇ」の添付文書の一部を示す図である。
【図２１】図２１は本発明の一実施形態による薬剤師業務支援システムにおける副作用とその他の症状画面である。
【図２２】図２２は本発明の一実施形態による薬剤師業務支援システムにおける副作用の症状の詳細画面である。
【発明を実施するための形態】
【００１９】
［一実施形態］
本発明の一実施形態による薬剤師業務支援システムについて図１乃至図２２を用いて説明する。
【００２０】
なお、本明細書において、具体的な薬剤について、具体的な副作用、発現頻度データ、副作用の具体的な症状等を記載するが、これらは、本発明の実施形態の説明のための便宜的な記載であって、これら薬剤、副作用、発現頻度データ、症状等が真実であることを意味するものではない。
【００２１】
［薬剤師業務支援システム］
図１は本実施形態による薬剤師業務支援システムを示す概略図である。
【００２２】
薬剤師業務支援システム１０には、調剤業務を行うための調剤業務サーバー２０が設けられている。調剤業務サーバー２０には、調剤業務を行うために必要な各種データベース（図示せず）やデータテーブル（図示せず）が設けられている。調剤業務サーバー２０はインターネット３０に接続されている。
【００２３】
調剤業務サーバー２０には、調剤業務を支援するための調剤業務支援クラウド２２が設けられている。調剤業務支援クラウド２２には支援サーバー２４が設けられている。
支援サーバー２４には、調剤業務を支援するために必要な各種データベースやデータテーブル（図示せず）が設けられている。
【００２４】
調剤を行う薬局４０、４１、４２、・・・には、薬剤師が患者に薬を処方するための薬歴システム４０Ａ、４１Ａ、４２Ａ、・・・が設けられている。薬歴システム４０Ａ、４１Ａ、４２Ａ、・・・はインターネット３０に接続されている。
【００２５】
［調剤業務］
図２は本実施形態による薬剤師業務支援システムを用いた調剤業務のフローチャートである。
【００２６】
調剤業務とは、医師、歯科医師、獣医師から発行された処方箋に基づき、薬局にて薬剤師が医薬品を交付する業務である。近年の調剤業務では、処方箋に記載された通りに医薬品を調合するだけではなく、医師等の処方が医学的に妥当であるか判断する処方監査や、医薬品の相互作用や重複投与の防止、服薬状況、継続的な効果と安全性の管理、薬剤処方歴の管理などの業務等を行っている。本実施形態では、処方された医薬品の副作用に対する指導や、処方された医薬品の副作用の確認、等の副作用に関する業務を行うことを特徴としている。
【００２７】
まず、薬局において、薬剤師が患者からの処方箋を受け付ける（ステップＳ１０）。
【００２８】
次に、薬剤師が、受け付けた処方箋について処方監査を行う（ステップＳ１１）。処方鑑査とは、医薬品名、用法・用量、投薬期間、併用薬の相互作用、患者の年齢、性別、体重などから処方内容を検討し監査する業務である。疑問な点が発生すれば、薬剤師は処方医に問い合わせて確認する。
【００２９】
次に、薬剤師が、処方箋に基づいて調剤を行う（ステップＳ１２）。調剤とは、錠剤、外用剤などを処方箋に記載されている薬剤の剤形、服用量、服用方法などを考慮して正確に取り揃える。必要に応じて、服用しやすいように錠剤を服用時点毎に、錠剤全自動分包機を使って一回に飲む分の薬を一包にまとめる。
【００３０】
次に、薬剤師が、調剤された薬剤について調剤薬監査を行う（ステップＳ１３）。調剤薬監査とは、調剤された薬剤が、処方箋の内容通りか、処方箋そのものに不適切な点がないかを、調剤した薬剤師と違う薬剤師が、再度チェックを行う。そして、責任をもって調剤がされた証として、処方箋と薬袋に薬剤師の判を押す。
【００３１】
次に、調剤された薬剤を患者に受け渡す前に、薬剤師が、患者に対して、調剤された薬剤について一般的な説明を行うともに、患者の状態に合わせた個別最適な服薬方法を指導する。副作用についても初期症状を見逃さないように注意する症状や変化と体調の変化を感じた際にとるべき行動を指導する（ステップＳ１４）。また。患者より体調の変化や症状を聴き取った場合の調剤された薬剤の副作用の可能性を確認する（ステップＳ１５）。これら副作用指導、副作用確認の詳細については後述する。
【００３２】
最後に、調剤費用について会計した後に、調剤された薬剤を患者に受け渡し（ステップＳ１６）、調剤業務が終了する。
【００３３】
［副作用指導：概要］
本実施形態の薬剤師業務支援システムによる副作用指導の概要について、図３乃至図５を用いて説明する。
【００３４】
（患者薬歴情報画面）
図３は、薬局４０の薬歴システム４０Ａに表示された患者薬歴情報画面５０である。患者薬歴情報は、調剤業務支援クラウド２２に支援された調剤業務サーバー２０により提供される。
【００３５】
患者薬歴情報画面５０の上部には、患者の名前、生年月日、住所等を表示する患者情報欄５０Ａが設けられている。患者情報欄５０Ａの左側下部には、患者の全ての調剤を表示する調剤一覧欄５０Ｂが設けられている。調剤一覧欄５０Ｂの下部には、患者のコメント、併用薬、疾病等の特記情報を表示する患者特記情報欄５０Ｃが設けられている。患者情報欄５０Ａの中央から右側下部には、今回処方の薬剤やコメントを表示する今回処方欄５０Ｄと、前回処方の薬剤やコメントを表示する前回処方欄５０Ｅと、前々回処方の薬剤やコメントを表示する前々回処方欄５０Ｆとが設けられている。
【００３６】
患者薬歴情報を示すメイン画面５０の右側下部には、副作用指導ボタン５０Ｇ、副作用確認ボタン５０Ｈが設けられている。
【００３７】
（副作用指導画面）
薬剤師等の操作者が、副作用指導ボタン５０Ｇをクリックすると、図４に示す画面が表示され、副作用指導の処理が開始される。
【００３８】
図４は、薬局４０の薬歴システム４０Ａに表示された副作用指導画面６０である。副作用指導情報は、調剤業務支援クラウド２２に支援された調剤業務サーバー２０により提供される。
【００３９】
（画面タイトル）
副作用指導画面６０の上部には、画面タイトル欄６０Ａが設けられている。画面タイトル欄６０Ａには「服用期間別副作用（全９剤）指導する副作用を選択する」と表示されている。
【００４０】
この具体例では、今回の調剤で９種の薬剤が調剤されていることがわかる。
【００４１】
（服用期間選択）
画面タイトル欄６０Ａの下部には、服用期間選択欄６０Ｂが設けられている。服用期間選択欄６０Ｂには、「服用期間を選択」との案内コメントと、表示する薬剤の服用期間を選択するための４つの選択ボタン「●１４日以内（５）」「○１５〜２８日（２）」「○２９日以上（３）「○不明（０）」が表示されている。
【００４２】
この具体例では、今回の調剤で５種の薬剤が１４日以内の服用期間で、２種の薬剤が１５〜２８日の服用期間で、３種の薬剤が２９日以上の服用期間で、０種の薬剤の服用期間が不明であり、選択ボタン「●１４日以内（５）」が選択されていることがわかる。
【００４３】
直近に服用した薬剤の副作用指導することが重要なので、患者薬歴情報画面５０から副作用指導画面６０に移ったときには、初期状態で「●１４日以内（５）」が選択されるように設定されている。
【００４４】
服用期間とは、患者が薬剤を服用している期間を示し、各薬品について今日の服薬がどの期間に含まれるかで分類している。例えば、１日目から１４日目であれば、服用期間は１４日以内とする。
【００４５】
（医薬品一覧）
服用期間選択欄６０Ｂの左側下部には、処方された薬剤の一覧を示す医薬品一覧欄６０Ｃが設けられている。
【００４６】
この具体例では、選択された服用期間にある処方された薬品名の先頭数文字である「カナグル錠・・・」「ランソプラゾ・・・」「イトラコナ・・・」「アムロジピン錠・・・」［診断用アレルゲ・・・」が表示されている。
【００４７】
（薬剤副作用）
服用期間選択欄６０Ｂの中央から右側下部には、薬剤の副作用についての情報を表示する薬剤副作用欄６０Ｄが設けられている。薬剤副作用欄６０Ｄには、４種の薬剤の副作用表示欄６０Ｄａ、６０Ｄｂ、６０Ｄｃ、６０Ｄｄが設けられている。指導する必要性が高い薬剤の方が、副作用表示欄６０Ｄａ、６０Ｄｂ、６０Ｄｃ、６０Ｄｄの上位となるように表示する。
【００４８】
副作用表示欄６０Ｄａ、６０Ｄｂ、６０Ｄｃ、６０Ｄｄの下部には、追加ボタン６０Ｄｅ、クリアボタン６０Ｄｆが設けられている。追加ボタン６０Ｄｅをクリックすると、指導する必要性の５番目以降の薬剤が表示される。クリアボタン６０Ｄｆをクリックすると、現在表示されている薬剤の副作用の情報をクリアされる。
【００４９】
副作用表示欄６０Ｄａ、６０Ｄｂ、６０Ｄｃ、６０Ｄｄ内には、それぞれ、薬剤名を表示する薬剤名欄と副作用を表示する副作用欄が設けられている。副作用欄には、初期状態で重要な３つの副作用が表示される。それ以降は「もっと見る」ボタンをクリックすることにより表示させることができる。
【００５０】
副作用欄には、左から、今回指導する場合にクリックする今回指導ボタン、次回指導する場合にクリックする次回指導ボタン、重大な副作用であることを示す重大欄、副作用名を表示する副作用名欄、主な症状を表示する主な症状欄、副作用の報告頻度を表示する報告頻度欄が設けられている。報告頻度欄は、服用後の副作用の発現日に応じた頻度が表示される。報告頻度欄には、服用後１〜１４日で発現した頻度と、服用後１〜２８日で発現した頻度と、服用後２９〜５６日で発現した頻度とが示される。
【００５１】
この具体例では、服用期間が１４日以内の５種の薬剤のうち、指導する必要性が高い４種の薬剤が表示される。
【００５２】
指導する必要性が高い薬剤の順に、副作用表示欄６０Ｄａには薬剤「カナグル錠１００ｍｇ」の副作用が表示され、副作用表示欄６０Ｄｂには薬剤「ランソプラゾールＯＤ錠３０ｍｇ」の副作用が表示され、副作用表示欄６０Ｄｃには薬剤「イトラコナゾール錠２００」の副作用が表示され、副作用表示欄６０Ｄｄには薬剤「アムロジビン錠２．５ｍｇ」の副作用が表示される。
【００５３】
ハイリスク薬である「カナグル錠１００ｍｇ」「ランソプラゾールＯＤ錠３０ｍｇ」の方が、ハイリスク薬でない薬剤「イトラコナゾール錠２００」「アムロジビン錠２．５ｍｇ」よりも優先的に表示される。ハイリスク薬「カナグル錠１００ｍｇ」と「ランソプラゾールＯＤ錠３０ｍｇ」同士では、服用期間の短いものが優先的に表示される。ハイリスク薬でない薬剤「イトラコナゾール錠２００」「アムロジビン錠２．５ｍｇ」同士でも、服用期間の短いものが優先的に表示される。
【００５４】
副作用表示欄６０Ｄａの薬剤「カナグル錠１００ｍｇ」の副作用表示の詳細について説明する。
【００５５】
薬剤名欄には、「カナグル錠１００ｍｇ ハイリスク  総報告件数：１００００」が表示される。薬剤「カナグル錠１００ｍｇ」がハイリスク薬であり、副作用報告件数が１００００件であることを示している。
【００５６】
副作用欄には相対的に重要な３つの副作用「肝機能障害」「血小板減少」「無顆粒球症」が表示される。副作用「無顆粒球症」の重大欄には「○」が表示されている。
【００５７】
症状欄には、副作用「肝機能障害」の主な症状として「倦怠感」「吐き気」「他の症状」と表示され、副作用「血小板減少」の主な症状として「歯茎の出血」「あおあざ」と表示され、副作用「無顆粒球症」の主な症状として「発熱」「のどの痛み」「他の症状」と表示されている。「他の症状」をクリックすることにより、更なる副作用の症状を表示させることができる。
【００５８】
報告頻度欄には、副作用「肝機能障害」「血小板減少」「無顆粒球症」の報告頻度が表示されている。服用後の発現日、１〜１４日、１〜２８日、２９〜５６日毎に、報告件数と報告頻度が表示されている。例えば、副作用「肝機能障害」の場合、服用後の発現日１〜１４日では報告件数「５００」、報告頻度「３．０％」であり、服用後の発現日１〜２８日では報告件数「１０００」、報告頻度「０．１％」であり、服用後の発現日２９〜５６日では報告件数「３００」、報告頻度「０．１％」であることが示されている。
【００５９】
同様にして、副作用表示欄６０Ｄｂには薬剤「ランソプラゾールＯＤ錠３０ｍｇ」の副作用が表示され、副作用表示欄６０Ｄｃには薬剤「イトラコナゾール錠２００」の副作用が表示され、副作用表示欄６０Ｄｄには薬剤「アムロジビン錠２．５ｍｇ」の副作用が表示される。
【００６０】
（副作用指導メモ）
薬剤副作用欄６０Ｄの下部には、患者への副作用指導に関するメモを表示する副作用指導メモ欄６０Ｅが設けられている。副作用指導メモ欄６０Ｅには、今回の副作用指導に関するメモを示す今回指導メモ欄６０Ｅａ、次回の副作用指導に関するメモを示す次回指導メモ欄６０Ｅｂが設けられている。
【００６１】
今回の副作用指導に関するメモや、次回の副作用指導に関するメモの内容は、副作用表示欄６０Ｄａ、６０Ｄｂ、６０Ｄｃ、６０Ｄｄ内の今回指導ボタン、次回指導ボタンのクリックにより自動生成される。
【００６２】
例えば、図５に示すように、副作用表示欄６０Ｄａに示す薬剤「カナグル錠１００ｍｇ」の副作用「肝機能障害」の今回指導ボタンをクリックすると、今回指導ボタン内にレ点が表示される。
【００６３】
そして、今回指導メモ欄６０Ｅａに「カナグル錠１００ｍｇの肝機能障害（倦怠感、吐き気など）について注意喚起を行った」と表示する。予め用意した定型文「（薬剤名）の（副作用名、症状名）について注意喚起を行った」に、今回指導ボタンをクリックした薬剤名と副作用名を挿入してメモを作成する。
【００６４】
更に、次回指導メモ欄６０Ｅｂに「カナグル錠１００ｍｇの肝機能障害（倦怠感、吐き気など）について確認する」と表示する。予め用意した定型文「（薬剤名）の（副作用名）について確認する」に、今回指導ボタンをクリックした薬剤名と副作用名を挿入してメモを作成する。
【００６５】
更に、図５に示すように、副作用表示欄６０Ｄｂに示す薬剤「ランソプラゾールＯＤ錠３０ｍｇ」の副作用「肝機能障害」の次回指導ボタンをクリックすると、次回指導ボタン内にレ点が表示される。
【００６６】
そして、次回指導メモ欄６０Ｅｂに「ランソプラゾールＯＤ錠３０ｍｇ「タイヨー」の肝機能障害（倦怠感、吐き気など）について注意喚起する」と表示する。予め用意した定型文「（薬剤名）の（副作用名）について注意喚起する」に、次回指導ボタンをクリックした薬剤名と副作用名を挿入してメモを作成する。なお、今回指導メモ欄６０Ｅａには何も表示しない。
【００６７】
（主訴入力ボタン・医薬品追加ボタン）
副作用指導メモ欄６０Ｅの右側には、患者の副作用の主訴を入力するための主訴を入力ボタン６０Ｆと、医薬品を追加するための医薬品の追加ボタン６０Ｇが設けられている。
【００６８】
［副作用指導：詳細］
本実施形態の薬剤師業務支援システムによる副作用指導の詳細について、図６乃至図１３を用いて説明する。
【００６９】
副作用指導の詳細の説明では、副作用指導の流れを示すフローチャートを用い、薬剤服用歴（薬歴）等を示す各種データテーブルを用い、薬剤、副作用、症状、副作用報告頻度等について抽象的な名前やデータを用いて表示方法のアルゴリズムやルールについて説明する。
【００７０】
（データテーブル）
副作用指導に必要な各種データテーブルとして、例えば、患者の薬剤服用歴（薬歴）を示す患者薬歴テーブル、薬剤の副作用発現頻度を示す副作用発現頻度テーブル、副作用の症状を示す副作用症状テーブルがある。
【００７１】
（患者薬歴テーブル）
図６は、本実施形態の薬剤師業務支援システムにおいて、患者の薬歴を示す患者薬歴テーブルである。この患者薬歴テーブルは、例えば、調剤業務サーバー２０内に設けられている。
【００７２】
（患者情報部）
患者薬歴テーブルには、患者の基本的な情報を示す患者情報部が設けられている。薬剤部には、患者ＩＤ、患者の名前、患者の住所等の患者の基本的な情報が格納されている。
【００７３】
（検査値部）
患者薬歴テーブルには、患者の検査値を示す検査値部が設けられている。検査値部には、患者の健康診断や病院における各種検査の検査値が格納されている。例えば、薬剤の副作用指導において重要である肝機能の検査値や腎機能の検査値が格納される。例えば、調剤業務サーバー２０が、患者の検査値を管理する検査サーバー（図示せず）と連携して患者の検査値を取得する。
【００７４】
図６では、肝機能に関する検査値、ＧＯＴ＝Ｎ１ U/L、ＧＰＴ＝Ｎ２ U/Lや、腎機能に関する検査値、クレアチニン＝Ｎ３ ｍｇ/ｄＬ、尿素窒素＝Ｎ４ ｍｇ/ｄＬが格納されている。
【００７５】
（調剤履歴部）
患者薬歴テーブルには、患者の調剤の履歴を示す調剤履歴部が設けられている。調剤履歴部には、患者に処方した調剤日、調剤した薬局、調剤された薬剤、処方日数等が格納される。
【００７６】
図６では、次の４回の処方調剤が記録されている。
（ｉ）２０１６年５月２８日に、薬局Ａにて薬剤Ａ、薬剤Ｂを２週間処方した。
（ii）２０１８年６月１１日に、薬局Ａにて薬剤Ａ、薬剤Ｂ、薬剤Ｃ、薬剤Ｄを２週間処方した。
（iii)２０１８年６月２５日に、薬局ＡにてＡ薬剤、Ｂ薬剤、Ｅ薬剤、Ｆ薬剤を２週間処方した。
（iv）２０１８年７月２日に、薬局Ｂにて、薬剤Ｇ、薬剤Ｈを１週間処方した。
【００７７】
この調剤履歴に基づいて、本日（２０１８年７月２日）に、薬局Ｂにて、副作用指導を受けるものとする。
【００７８】
本日である２０１８年７月２日は、処方日（２０１８年５月２８日）から３６日経過しており、処方日（２０１８年６月１１日）から２２日経過しており、処方日（２０１８年６月２５日）から８日経過しており、処方日（２０１８年７月２日）から１日経過している。
【００７９】
（調剤部）
患者薬歴テーブルには、患者に処方した薬剤を示す調剤部が設けられている。超細部には、患者に調剤した薬剤の薬剤コード、薬剤名、最新調剤年月日、初回調剤年月日、薬剤のハイリスク区分等が格納される。
【００８０】
図６では、上記の調剤履歴に応じて、患者に処方した薬剤Ａ〜薬剤Ｈの情報が記録されている。
【００８１】
薬剤Ａ（ハイリスク薬）の最新調剤年月日は２０１８年７月２日で、初回調剤年月日は２０１８年６月２５日である。
【００８２】
薬剤Ｂの最新調剤年月日は２０１８年７月２日で、初回調剤年月日は２０１８年６月２５日である。
【００８３】
薬剤Ｃの最新調剤年月日は２０１８年６月１１日で、初回調剤年月日は２０１８年６月１１日である。
【００８４】
薬剤Ｄ（ハイリスク薬）の最新調剤年月日は２０１８年６月１１日で、初回調剤年月日は２０１８年６月１１日である。
【００８５】
薬剤Ｅの最新調剤年月日は２０１８年６月２５日で、初回調剤年月日は２０１８年６月２５日である。
【００８６】
薬剤Ｆ（ハイリスク薬）の最新調剤年月日は２０１８年６月２５日で、初回調剤年月日は２０１８年６月２５日である。
【００８７】
薬剤Ｇ（ハイリスク薬）の最新調剤年月日は２０１８年７月２日で、初回調剤年月日は２０１８年７月２日である。
【００８８】
薬剤Ｈの最新調剤年月日は２０１８年７月２日で、初回調剤年月日は２０１８年７月２日である。
【００８９】
（副作用発現頻度テーブル）
図７は、本実施形態の薬剤師業務支援システムにおいて、薬剤の副作用発現頻度を示す副作用発現頻度テーブルである。この副作用発現頻度テーブルは、例えば、支援サーバー２４内に設けられている。全ての薬剤についてそれぞれ副作用発現頻度テーブルが設けられている。支援サーバー２４は、報告される薬剤の副作用情報に基づいて各薬剤の副作用発現頻度テーブルを随時更新している。
【００９０】
（薬剤部）
副作用発現頻度テーブルには、薬剤の基本的な情報を示す薬剤部が設けられている。薬剤部には、薬剤コード、薬剤名等が格納される。図７では、薬剤名として薬剤Ｇと記録されている。
【００９１】
（報告件数部）
副作用発現頻度テーブルには、報告件数を示す報告件数部が設けられている。報告の総件数と、処方から副作用が発現した発現時期別の報告件数が格納されている。
【００９２】
図７では、発現時期が１〜１４日の報告件数がＧＮ１件、発現時期が１〜２８日の報告件数がＧＮ２件、発現時期が２９〜５６日の報告件数がＧＮ３件、発現時期が５７日以上又は不明の報告件数がＧＮ４件、記録されている。
【００９３】
（副作用部）
副作用発現頻度テーブルには、副作用の報告頻度を示す副作用部が設けられている。各副作用について、処方から副作用が発現した発現時期別の発現頻度が格納されている。
【００９４】
図７では、副作用Ａの発現頻度が、発現時期１〜１４日ではＧＡ１％、発現時期１〜２８日ではＧＡ２％、発現時期２９〜５６日ではＧＡ３％、発現時期５７日以上又は不明ではＧＡ４％と記録されている。
【００９５】
同様に、副作用Ｂの発現頻度が、発現時期１〜１４日ではＧＢ１％、発現時期１〜２８日ではＧＢ２％、発現時期２９〜５６日ではＧＢ３％、発現時期５７日以上又は不明ではＧＢ４％と記録されている。
【００９６】
同様に、副作用Ｃの発現頻度が、発現時期１〜１４日ではＧＣ１％、発現時期１〜２８日ではＧＣ２％、発現時期２９〜５６日ではＧＣ３％、発現時期５７日以上又は不明ではＧＣ４％と記録されている。
【００９７】
同様に、副作用Ｄの発現頻度が、発現時期１〜１４日ではＧＤ１％、発現時期１〜２８日ではＧＤ２％、発現時期２９〜５６日ではＧＤ３％、発現時期５７日以上又は不明ではＧＤ４％と記録されている。
【００９８】
同様に、副作用Ｅの発現頻度が、発現時期１〜１４日ではＧＥ１％、発現時期１〜２８日ではＧＥ２％、発現時期２９〜５６日ではＧＥ３％、発現時期５７日以上又は不明ではＧＥ４％と記録されている。
【００９９】
同様に、副作用Ｆの発現頻度が、発現時期１〜１４日ではＧＦ１％、発現時期１〜２８日ではＧＦ２％、発現時期２９〜５６日ではＧＦ３％、発現時期５７日以上又は不明ではＧＦ４％と記録されている。
【０１００】
（副作用症状テーブル）
図８は、本実施形態の薬剤師業務支援システムにおいて、副作用の症状を示す副作用症状テーブルである。この副作用症状テーブルは、例えば、支援サーバー２４内に設けられている。想定される副作用について、その副作用がもたらす様々な症状を記載する。副作用症状テーブルは、これまでの知識や経験に基づいて作成し、必要に応じて適宜更新する。
【０１０１】
図８では、副作用「ショック」に対して、症状「めまい」「意識がうすれる」「胸苦しい」「血の気が引く」「血圧低下で脈が触れにくい」…が格納され、副作用「汎血球減少」に対して、症状「あおあざができる」「めまい」「歯ぐきの出血」「耳鳴り」「出血しやすい」…が格納され、副作用「貧血」に対して、症状「からだがだるい」「めまい」「耳鳴り」「息切れ」「頭痛」…が格納されている。
【０１０２】
また、「副作用Ａ」に対して「症状Ａ」「症状Ｂ」「症状Ｃ」「症状Ｄ」「症状Ｅ」が格納され、「副作用Ｂ」に対して、「症状Ｇ」「症状Ｈ」「症状Ｉ」が格納され、「副作用Ｃ」に対して、「症状Ｐ」「症状Ｑ」「症状Ｒ」「症状Ｓ」が格納されている。
【０１０３】
（フローチャート）
図９は、副作用指導の流れを示すフローチャートである。
【０１０４】
薬剤師等の操作者が、図３の患者薬歴情報を示すメイン画面５０の副作用指導ボタン５０Ｇをクリックする（ステップＳ２０）。
【０１０５】
（服用期間１４日以内の副作用指導画面）
副作用指導ボタン５０Ｇがクリックされると、図１０に示す副作用指導画面６０が表示される（ステップＳ２１）。初期状態では「●１４日以内（５）」が選択され、服用期間１４日以内の薬剤の副作用画面が表示される。
【０１０６】
図１０の副作用指導画面６０の画面構成については、図４と同様であるので、説明を省略する。
【０１０７】
副作用指導画面６０の記載内容は、患者の薬歴を示す患者薬歴テーブル、薬剤の副作用発現頻度を示す副作用発現頻度テーブル、副作用の症状を示す副作用症状テーブルに基づいて決定される。図１０に示す副作用指導画面６０の記載内容は、図６の患者薬歴テーブル、図７の副作用発現頻度テーブル、図８の副作用症状テーブルに基づいて決定される。
【０１０８】
図６の患者薬歴テーブルによれば、この患者は、薬剤Ａ、薬剤Ｂ、薬剤Ｃ、薬剤Ｄ、薬剤Ｅ、薬剤Ｆ、薬剤Ｇ、薬剤Ｈの８種の薬剤が処方されている。
【０１０９】
薬剤Ａの初回調剤年月日は２０１８年６月２５日、薬剤Ｂの初回調剤年月日は２０１８  年６月２５日、薬剤Ｃの初回調剤年月日は２０１８年６月１１日、薬剤Ｄの初回調剤年月日は２０１８年６月１１日、薬剤Ｅの初回調剤年月日は２０１８年６月２５日、薬剤Ｆの初回調剤年月日は２０１８年６月２５日、薬剤Ｇの初回調剤年月日は２０１８年７月２日、  薬剤Ｈの初回調剤年月日は２０１８年７月２日である。
【０１１０】
これから、本日である２０１８年７月２日を基準として、薬剤Ｅ、薬剤Ｆ、薬剤Ｇ、薬剤Ｈの４種の薬剤が１４日以内の服用期間で、薬剤Ｃ、薬剤Ｄの２種の薬剤が１５〜２８日の服用期間で、薬剤Ａ、薬剤Ｂの２種の薬剤が２９日以上の服用期間で、０種の薬剤の服用期間が不明であることがわかる。
【０１１１】
これにより、図１０の副作用指導画面６０上部の画面タイトル欄６０Ａに「服用期間別副作用（全８剤）  指導する副作用を選択する」と表示する。また、服用期間選択欄６０Ｂに４つの選択ボタン「●１４日以内（４）」「○１５〜２８日（２）」「○２９日以上（２）「○不明（０）」と表示する。１４日以内の選択ボタンは選択状態（●）である。
【０１１２】
服用期間選択欄６０Ｂの左側下部の医薬品一覧欄６０Ｃには、服用期間が１４日以内の薬剤である４種の薬剤Ｅ、薬剤Ｆ、薬剤Ｇ、薬剤Ｈの副作用についての情報を表示する。薬剤副作用欄６０Ｄの副作用表示欄６０Ｄａ、６０Ｄｂ、６０Ｄｃ、６０Ｄｄに、４種の薬剤Ｅ、薬剤Ｆ、薬剤Ｇ、薬剤Ｈの副作用についての情報を表示する。
【０１１３】
４種の薬剤Ｅ、薬剤Ｆ、薬剤Ｇ、薬剤Ｈについて、指導する必要性が高い薬剤の方を、副作用表示欄６０Ｄａ、６０Ｄｂ、６０Ｄｃ、６０Ｄｄに優先して表示する。本実施形態では、指導する必要性が高い薬剤ほど、副作用表示欄６０Ｄａ、６０Ｄｂ、６０Ｄｃ、６０Ｄｄの先頭に近い表示欄に表示する。
【０１１４】
副作用表示欄６０Ｄａ、６０Ｄｂ、６０Ｄｃ、６０Ｄｄに優先して表示するとは、本実施形態のような表示方法の他に、指導する必要性が高い薬剤ほど、文字の大きさや太さ、色をより目立つような表示方法や、表示欄の背景の色をより目立つような表示方法等でもよい。
【０１１５】
次のルールにより、副作用表示欄６０Ｄａ、６０Ｄｂ、６０Ｄｃ、６０Ｄｄに優先して表示する薬剤を決定する。
【０１１６】
ルールＡ：ハイリスク薬の薬剤を上位に表示する。
【０１１７】
ルールＢ：初回調剤年月日が本日に近い服用期間が短い薬剤を上位に表示する。
【０１１８】
ルールＣ：主たる副作用の発現時期１〜１４日の副作用発現頻度が高い薬剤を上位に表示する。
【０１１９】
全てのルールＡ、ルールＢ、ルールＣを適用して決定してもよいし、全てのルールＡ、ルールＢ、ルールＣから一部のルールを除外して決定してもよいし、他のルールを追加して決定してもよい。
【０１２０】
図１０の副作用指導画面６０では、ルールＡとルールＢを適用して決定する。４種の薬剤Ｅ、薬剤Ｆ、薬剤Ｇ、薬剤Ｈのうち、初回調剤年月日が本日により近い薬剤Ｇ、薬剤Ｈを薬剤Ｅ、薬剤Ｆより上位とし、ハイリスク薬である薬剤Ｆ、薬剤Ｇをより上位とする。その結果、副作用表示欄６０Ｄａ、６０Ｄｂ、６０Ｄｃ、６０Ｄｄに、薬剤Ｇ、薬剤Ｆ、薬剤Ｈ、薬剤Ｅの副作用を表示する。
【０１２１】
副作用表示欄６０Ｄａ、６０Ｄｂ、６０Ｄｃ、６０Ｄｄへの薬剤Ｇ、薬剤Ｆ、薬剤Ｈ、薬剤Ｅの副作用の記載内容は、副作用発現頻度テーブル、副作用症状テーブルに基づいて決定される。
【０１２２】
図１０の副作用表示欄６０Ｄａには薬剤Ｇの副作用が記載されるが、これは、図７の副作用発現頻度テーブル、図８の副作用症状テーブルに基づいて決定される。
【０１２３】
副作用表示欄６０Ｄａの薬剤名欄には、図７の副作用発現頻度テーブルに基づいて「薬剤Ｇ  ハイリスク  総報告件数：ＧＮ」が表示される。「薬剤Ｇ」がハイリスク薬であり、副作用報告件数がＧＮ件であることを示している。
【０１２４】
副作用欄には相対的に重要な３つの副作用「副作用Ａ」「副作用Ｂ」「副作用Ｃ」が表示される。副作用「副作用Ｃ」の重大欄には「○」が表示される。症状欄の記載は、図８の副作用症状テーブルに基づいて決定される。
【０１２５】
図１０の副作用表示欄６０Ｄａでは、副作用Ａの症状欄に「症状Ａ」「症状Ｂ」「症状Ｃ」が表示され、副作用Ｂの症状欄に「症状Ｇ」「症状Ｈ」が表示され、副作用Ｃの症状欄に「症状Ｐ」「症状Ｑ」「症状Ｒ」が表示される。
【０１２６】
報告頻度欄には、「副作用Ａ」「副作用Ｂ」「副作用Ｃ」の報告頻度が表示される。報告頻度欄の記載は、図７の副作用発現頻度テーブルに基づいて決定される。
【０１２７】
図１０の副作用表示欄６０Ｄａでは、発現時期が１〜１４日の報告件数が「ＧＮ１」、発現時期が１〜２８日の報告件数が「ＧＮ２」、発現時期が２９〜５６日の報告件数が「ＧＮ３」と表示される。
【０１２８】
副作用Ａの発現頻度が、発現時期１〜１４日では「ＧＡ１」％、発現時期１〜２８日では「ＧＡ２」％、発現時期２９〜５６日では「ＧＡ３」％と表示される。副作用Ｂの発現頻度が、発現時期１〜１４日では「ＧＢ１」％、発現時期１〜２８日では「ＧＢ２」％、発現時期２９〜５６日では「ＧＢ３」％と表示される。副作用Ｃの発現頻度が、発現時期１〜１４日では「ＧＣ１」％、発現時期１〜２８日では「ＧＣ２」％、発現時期２９〜５６日では「ＧＣ３」％と表示される。
【０１２９】
他の副作用表示欄６０Ｄｂ、６０Ｄｃ、６０Ｄｄについても、薬剤Ｆ、薬剤Ｈ、薬剤Ｅの副作用発現頻度テーブル（図示せず）に基づいて、同様に表示される。
【０１３０】
（指導メモ）
薬剤副作用欄６０Ｄの副作用表示欄６０Ｄａ、６０Ｄｂ、６０Ｄｃ、６０Ｄｄの今回指導ボタン、次回指導ボタンをクリックすると、指導メモが自動生成されて、今回指導メモ欄６０Ｅａ、次回指導メモ欄６０Ｅｂに指導メモが表示される（ステップＳ２２）。
【０１３１】
図１０の副作用指導画面６０では、薬剤Ｇの副作用Ｃの今回指導ボタンがクリックされている。これにより今回指導メモ「薬剤Ｇの副作用Ｃ（症状Ｐ、症状Ｑ、症状Ｒ）について注意喚起を行った」が自動生成されて、今回指導メモ欄６０Ｅａに表示される。また、次回指導メモ「薬剤Ｇの副作用Ｃ（症状Ｐ、症状Ｑ、症状Ｒ）について確認する」が自動生成されて、次回指導メモ欄６０Ｅｂに表示される。
【０１３２】
また、図１０の副作用指導画面６０では、薬剤Ｆの副作用Ｅの次回回指導ボタンがクリックされている。これにより、次回指導メモ「薬剤Ｆの副作用Ｅ（症状Ａ、症状Ｂ、症状Ｃ）について確認する」が自動生成されて、次回指導メモ欄６０Ｅｂに表示される。
【０１３３】
（他の服用期間の副作用指導画面）
服用期間１４日以内の薬剤の副作用指導が終了すると、他の服用期間の副作用指導に進み、薬剤の服用期間を選択する選択ボタン「○１５〜２８日（２）」「○２９日以上（３）「○不明（０）」のいずれかが選択されたか判断する（ステップＳ２３）。
【０１３４】
（服用期間１５〜２８日の副作用指導画面）
ステップＳ２３で選択ボタン「●１５〜２８日（２）」が選択されると、図１１に示す副作用指導画面６０が表示される（ステップＳ２４）。
【０１３５】
図１１の副作用指導画面６０では、１５〜２８日の服用期間である２種の薬剤Ｃ、薬剤Ｄの副作用情報が表示される。２種の薬剤Ｃ、薬剤Ｄについて、指導する必要性が高い薬剤の方を、副作用表示欄６０Ｄａ、６０Ｄｂ、６０Ｄｃ、６０Ｄｄの上位となるように表示する。ハイリスク薬である薬剤Ｄの方を上位に表示する。したがって、図１１に示すように、副作用表示欄６０Ｄａ、６０Ｄｂに薬剤Ｄ、薬剤Ｃの副作用情報を表示する。副作用表示欄６０Ｄｃ、６０Ｄｄには何も表示しない。
【０１３６】
図１１の副作用指導画面６０では、薬剤Ｃの副作用Ｄの次回指導ボタンがクリックされている。これにより次回指導メモ「薬剤Ｄの副作用Ｄ（症状Ｇ、症状Ｈ、症状Ｉ）について確認する」が自動生成されて、次回指導メモ欄６０Ｅｂに表示される（ステップＳ２５）。
【０１３７】
今回指導メモ・次回指導メモの表示（ステップＳ２５）が終了すると、ステップＳ２３に戻る。
【０１３８】
（服用期間２９日以上の副作用指導画面）
ステップＳ２３で選択ボタン「●２９日以上（２）」が選択されると、図１２に示す副作用指導画面６０が表示される（ステップＳ２６）。
【０１３９】
図１２の副作用指導画面６０では、２９日以上の服用期間である２種の薬剤Ａ、薬剤Ｂの副作用情報が表示される。２種の薬剤Ａ、薬剤Ｂについて、指導する必要性が高い薬剤の方を、副作用表示欄６０Ｄａ、６０Ｄｂ、６０Ｄｃ、６０Ｄｄの上位となるように表示する。ハイリスク薬である薬剤Ａの方を上位に表示する。したがって、図１２に示すように、副作用表示欄６０Ｄａ、６０Ｄｂに薬剤Ａ、薬剤Ｂの副作用情報を表示する。副作用表示欄６０Ｄｃ、６０Ｄｄには何も表示しない。
【０１４０】
図１２の副作用指導画面６０では、いずれに副作用についても今回指導ボタン、次回指導ボタンがクリックされていない。これにより新たな指導メモは表示されない（ステップＳ２７）。
【０１４１】
今回指導メモ・次回指導メモの表示（ステップＳ２７）が終了すると、ステップＳ２３に戻る。
【０１４２】
（服用期間不明の副作用指導画面）
ステップＳ２３で選択ボタン「●不明（０）」が選択されると、図１３に示す副作用指導画面６０が表示される（ステップＳ２８）。
【０１４３】
図１３の副作用指導画面６０では、２９日以上の服用期間である薬剤は処方されていないので、副作用表示欄６０Ｄａ、６０Ｄｂ、６０Ｄｃ、６０Ｄｄには何も表示しない。
【０１４４】
図１３の副作用指導画面６０では、副作用表示欄６０Ｄａ、６０Ｄｂ、６０Ｄｃ、６０Ｄｄに薬剤の副作用が表示されていないので、いずれの副作用についても今回指導ボタン、次回指導ボタンがクリックされない。これにより新たな指導メモは表示されない（ステップＳ２９）。
【０１４５】
今回指導メモ・次回指導メモの表示（ステップＳ２９）が終了すると、ステップＳ２３に戻る。
【０１４６】
（副作用指導処理の終了）
ステップＳ２３でいずれの選択ボタンも選択されないと、副作用指導処理を終了する。
【０１４７】
（患者属性に基づく副作用優先表示）
上述した実施形態では、患者データとして複数の薬剤の服用歴に基づいて、服用期間が短い薬剤の方の副作用情報を優先的に表示するようにした。
【０１４８】
患者データとして、複数の薬剤の服用歴以外に、患者の性別、年齢、罹病歴、アレルギー歴のいずれかを含む患者属性を含み得る。例えば、患者の性別、年齢、罹病歴、アレルギー歴のような患者属性に基づく副作用リスクの大きい薬剤の方の副作用情報を優先的に表示するようにしてもよい。
【０１４９】
［肝機能障害・腎機能障害の患者に対する薬剤指導］
内用薬は、主に小腸で吸収されたらまず肝臓に入り、ここで薬の一部、あるいは大半が効き目をもたない別のものに変えられ、多くは腎臓から排出される。このため、肝機能障害のある患者に対しては、通常の副作用指導に加えて、肝代謝が多く分布する薬（肝代謝型薬物）に特別な注意が必要となる。また、腎機能障害のある患者に対しては、通常の副作用指導に加えて、腎排泄が多く分布する薬（腎排泄型薬物）に特別な注意が必要となる。
【０１５０】
（肝機能障害・腎機能障害注意薬剤テーブル）
肝代謝型薬物、腎排泄型薬物については、薬剤メーカーや肝臓病や腎臓病に関する学会等から、注意を必要とする患者の肝機能や腎機能に対する検査値のしきい値情報や、限界投与量等の情報が提供されている。
【０１５１】
図１４は、本実施形態の薬剤師業務支援システムにおける肝機能障害・腎機能障害注意薬剤テーブルである。肝機能障害のある患者や腎機能障害のある患者に対して注意を必要とする薬剤情報がまとめて記載されている。この肝機能障害・腎機能障害注意薬剤テーブルは、例えば、支援サーバー２４内に設けられている。
【０１５２】
肝機能低下時に注意が必要な薬剤についての情報として、肝機能の検査のしきい値、注意する薬剤、薬剤の限界投与量が格納されている。
【０１５３】
図１４では、肝機能の検査（ＧＯＴ）のしきい値が「Ｎth1 U/L」であり、肝機能の検査（ＧＰＴ）のしきい値が「Ｎth2 U/L」であることが示されている。注意を必要とする薬剤とその限界投与量として、「薬剤Ｐ」は「Ｐ ｍｇ」、「薬剤Ｑ」は「Ｑ ｍｇ」、「薬剤Ｒ」は「Ｒ ｍｇ」、「薬剤Ｓ」は「Ｓ ｍｇ」、「薬剤Ｔ」は「Ｔ ｍｇ」であることが示されている。
【０１５４】
腎機能低下時に注意が必要な薬剤についての情報として、腎機能の検査のしきい値、注意する薬剤、薬剤の限界投与量が格納されている。
【０１５５】
図１４では、腎機能の検査（クレアチニン）のしきい値が「Ｎth3 ｍｇ/ｄＬ」であり、腎機能（尿素窒素）のしきい値が「Ｎth4 ｍｇ/ｄＬ」であることが示されている。注意を必要とする薬剤とその限界投与量として、「薬剤Ｖ」は「Ｖ ｍｇ/ｄＬ」、「薬剤Ｗ」は「Ｗ ｍｇ/ｄＬ」、「薬剤Ｘ」は「Ｘ ｍｇ/ｄＬ」、「薬剤Ｙ」は「Ｙ ｍｇ/ｄＬ」、「薬剤Ｚ」は「Ｚ ｍｇ/ｄＬ」であることが示されている。
【０１５６】
（薬剤指導メモ）
本実施形態では、患者の薬歴を示す患者薬歴テーブルと、生理学的機能低下者における注意薬剤テーブルに基づいて、肝機能や腎機能など生理学的機能低下のある患者に対して副作用指導を行う。
【０１５７】
図６に示すように、患者薬歴テーブルには患者の検査値を示す検査値部が設けられている。検査値部には、肝機能に関する検査値、ＧＯＴ＝Ｎ１ U/L、ＧＰＴ＝Ｎ２ U/Lや、腎機能に関する検査値、クレアチニン＝Ｎ３ ｍｇ/ｄＬ、尿素窒素＝Ｎ４ ｍｇ/ｄＬが格納されている。更に、図示していないが、血糖値ＨｂＡ１ｃ＝Ｎ５％、白血球数＝Ｎ６、赤血球数＝Ｎ７、血小板＝Ｎ８、血清脂質、電解質、血清蛋白質、ＱＴ間隔、呼吸機能や体温、脈拍などのバイタルデータが格納されてもよい。
【０１５８】
図６に格納された患者の肝機能の検査値と、図１４に格納された肝機能の検査値のしきい値と比較し、図６の患者が肝機能障害であるか否かを判断する。患者が肝機能障害であれば、その患者に処方された薬剤に、図１４に格納された注意する薬剤が含まれているか否か判断する。
【０１５９】
同様にして、図６に格納された患者の腎機能の検査値と、図１４に格納された腎機能の検査値のしきい値と比較し、図６の患者が腎機能障害であるか否かを判断する。患者が腎機能障害であれば、その患者に処方された薬剤に、図１４に格納された注意する薬剤が含まれているか否か判断する。
【０１６０】
もし、患者が肝機能障害であると判断され、患者に処方された薬剤に、図１４に格納された注意する薬剤が含まれていれば、例えば、薬局４０の薬歴システム４０Ａに表示された患者薬歴情報画面５０に、図１５に示すように、今回指導メモ欄５０Ｄａに「カグナル肝機能異常について注意喚起を行った」と表示し、次回指導メモ欄５０Ｅａに「カグナルの肝機能異常について確認する」と表示する。
【０１６１】
または、患者が肝機能障害であると判断され、患者に処方された薬剤に、図１４に格納された注意する薬剤が含まれていれば、図４に示す、薬局４０の薬歴システム４０Ａに表示された副作用指導画面６０にその旨を表示する。
【０１６２】
副作用指導画面６０における薬剤副作用欄６０Ｄの薬剤の副作用表示欄６０Ｄａ、６０Ｄｂ、６０Ｄｃ、６０Ｄｄの、薬剤名記載欄とハイリスク記載欄に続いて、その旨を記載する。例えば、ハイリスク薬剤であれば「薬剤名  ハイリスク  低肝注意」と記載する。ハイリスク薬剤でなければ「薬剤名  ＿＿＿＿＿  低肝注意」と記載する。ハイリスク薬剤でない場合でもハイリスク記載欄を空欄にすることが望ましい。操作者が視認しやすくするためのである。
【０１６３】
また、患者が腎機能障害であると判断され、患者に処方された薬剤に、図１４に格納された注意する薬剤が含まれていれば、同様に、副作用指導画面６０における薬剤副作用欄６０Ｄの薬剤の副作用表示欄６０Ｄａ、６０Ｄｂ、６０Ｄｃ、６０Ｄｄの、薬剤名記載欄とハイリスク記載欄に続いて、その旨を記載する。例えば、ハイリスク薬剤であれば「薬剤名  ハイリスク  低腎注意」と記載する。ハイリスク薬剤でなければ「薬剤名  ＿＿＿＿＿  低腎注意」と記載する。
【０１６４】
［他の機能障害の患者に対する薬剤指導］
上述した実施形態では、肝機能障害・腎機能障害の患者に対する薬剤指導について説明したが、他の機能障害の患者に対しても同様に薬剤指導することができる。
【０１６５】
患者検査データとして、患者の肝機能、腎機能、血球数、血糖値、血清脂質、電解質、血清蛋白質、ＱＴ間隔、呼吸機能の検査の検査値、又は、脈拍、血圧、体温のバイタルのバイタルデータを取得する。患者の検査値又はバイタルデータが所定の閾値を超えた場合には、複数の薬剤のうち、所定の閾値を超えた検査又はバイタルが示す生理学的機能が低下した患者に対して注意を必要とする薬剤の方の副作用情報を優先的に表示するようにする。
【０１６６】
［副作用確認］
本実施形態の薬剤師業務支援システムによる副作用確認について、図１６乃至図２２を用いて説明する。
【０１６７】
（フローチャート）
図１６は、副作用確認の流れを示すフローチャートである。
【０１６８】
薬剤師等の操作者が、図３の患者薬歴情報を示すメイン画面５０の副作用確認ボタン５０Ｈをクリックする（ステップＳ５０）。
【０１６９】
（患者症状入力画面）
副作用確認ボタン５０Ｈがクリックされると、患者の症状を入力するための患者症状入力画面が表示される（ステップＳ５１）。図１７は、薬局４０の薬歴システム４０Ａに表示された患者症状入力画面７０である。患者症状入力画面７０は、調剤業務支援クラウド２２に支援された調剤業務サーバー２０により提供される。
【０１７０】
患者症状入力画面７０の上部には、「患者さんの症状を入力して下さい」との案内が示される。この案内の上部には、患者の主訴を直接入力するための直接症状入力欄７０Ａと、患者の症状を身体の部位から選択して入力するための選択症状入力欄７０Ｂが設けられている。直接症状入力欄７０Ａと選択症状入力欄７０Ｂの右側には、入力された症状が表示される入力症状欄７０Ｃが設けられている。
【０１７１】
薬剤師等の操作者は、患者にヒアリングしながら、直接症状入力欄７０Ａ又は選択症状入力欄７０Ｂから患者の症状を入力する（ステップＳ５２）。
【０１７２】
例えば、薬剤師等の操作者は、主訴入力欄７０Ａに患者の主訴である副作用を文字入力し、右矢印ボタン７０Ａａをクリックする。入力された副作用、例えば「口が乾く」が入力症状表示欄７０Ｃに表示される。
【０１７３】
また、薬剤師等の操作者は、選択症状入力欄７０Ｂの身体の部分を示すボタンや、代表的な症状を示すボタンをクリックする。身体の部分や代表的な症状に関連する全ての症状を表示するポップアップ画面（図示せず）が表示される。例えば、身体の一部である「頭・顔・首」をクリックすると、「頭」「「顔」「髪」「首」等の分類が表示され、各分類に属する症状、例えば「頭」に関する症状「頭が痛い」「頭痛」「急な頭痛」「激しい頭痛」等が表示される。
【０１７４】
薬剤師等の操作者は、患者にヒアリングしながら、ポップアップ画面から適切な副作用を選択する。そして、右矢印ボタン７０Ｂａをクリックすると、入力された副作用、例えば「頭痛」が入力症状表示欄７０Ｃに表示される。
【０１７５】
（副作用確認画面）
薬剤師等の操作者が、患者症状入力画面７０の右下部にある「次に」ボタンをクリックすると、処方された薬剤と患者が訴えた症状との関連を示す副作用確認画面が表示される（ステップＳ５３）。
【０１７６】
図１８は、薬局４０の薬歴システム４０Ａに表示された副作用確認画面８０である。副作用確認画面８０は、調剤業務支援クラウド２２に支援された調剤業務サーバー２０により提供される。
【０１７７】
副作用確認画面８０の上部には、「副作用確認結果」とのタイトルと共に「症状の発現時期より、関係のありそうな医薬品を選択して下さい（複数選択可）」との案内が示される。
【０１７８】
この案内の下部には、患者に処方されている薬剤と、ステップＳ５２で入力された症状との関連を示す処方薬剤処方関連表示欄８０Ａと、症状の原因について表示する症状原因表示欄８０Ｂが設けられている。
【０１７９】
処方薬剤処方関連表示欄８０Ａの左部には、薬剤名欄と初回調剤欄とが設けられている。薬剤名欄には処方された薬剤の薬剤名が表示される。初回調剤欄には処方された薬剤の初回調剤日が表示される。処方された薬剤の薬剤名、処方された薬剤の初回調剤日は、図６に示す患者薬歴テーブルから抽出される。
【０１８０】
図１８では、薬剤名、初回調剤日として、「ランソプラゾールＯＤ錠３０ｍｇ」「２０１８／５／２０」、「アスピリン腸溶錠１００ｍｇ」「２０１８／５／２０」、「イトプリド塩酸塩錠５０ｍｇ」「２０１８／５／１８」、「診断用アレルゲン皮内エキス治療用アレルゲンエキス皮下注」「２０１８／５／１７」、「イトラコナゾール錠５０ｍｇ」「９０日以前」と表示されている。
【０１８１】
（入力症状欄）
処方薬剤処方関連表示欄８０Ａの右部には、入力された症状との関連を表示する入力症状欄が設けられている。
【０１８２】
入力症状欄の最上部には、ステップＳ５２で入力された症状が表示される。
【０１８３】
入力された症状の下部には、処方された薬剤と関連しているか否かが示される。入力された症状「めまい」「立ちくらみ」「頭が重い」「意識が薄れる」の下部には、処方された薬剤と関連している場合には「□（症状関連ボタン）」が表示され、処方された薬剤と関連していない場合には「−（症状関連無し）」が表示される。
【０１８４】
図１８では、入力された症状として、「めまい」「立ちくらみ」「頭が重い」「意識が薄れる」と表示されている。
【０１８５】
症状「めまい」に「□（症状関連ボタン）」が表示されているのは、薬剤「ランソプラゾールＯＤ錠３０ｍｇ」と、薬剤「アスピリン腸溶錠１００ｍｇ」と、薬剤「イトプリド塩酸塩錠５０ｍｇ」と、薬剤「診断用アレルゲン皮内エキス治療用アレルゲンエキス皮下注」との４つの薬剤である。
【０１８６】
症状「立ちくらみ」に「□（症状関連ボタン）」が表示されているのは、薬剤「ランソプラゾールＯＤ錠３０ｍｇ」と、薬剤「アスピリン腸溶錠１００ｍｇ」と、薬剤「イトプリド塩酸塩錠５０ｍｇ」と、薬剤「診断用アレルゲン皮内エキス治療用アレルゲンエキス皮下注」との４つの薬剤である。
【０１８７】
症状「頭が重い」に「□（症状関連ボタン）」が表示されているのは、薬剤「ランソプラゾールＯＤ錠３０ｍｇ」と、薬剤「アスピリン腸溶錠１００ｍｇ」と、薬剤「イトプリド塩酸塩錠５０ｍｇ」との３つの薬剤である。
【０１８８】
症状「意識が薄れる」に「□（症状関連ボタン）」が表示されているのは、薬剤「ランソプラゾールＯＤ錠３０ｍｇ」と、薬剤「イトラコナゾール錠５０ｍｇ」との２つの薬剤である。
【０１８９】
これにより、薬剤師等の操作者は、入力された症状が、処方された薬剤のうちどの薬剤により引き起こされているかの可能性を知ることができる。
【０１９０】
（入力症状欄の詳細）
入力された症状が処方された薬剤と関連しているか否かは、原則として、薬剤の添付文書の記載に基づいて決定される。
【０１９１】
添付文書に記載されている副作用であるか否かを判断することに加え、入力された症状をもたらす副作用の記載がある否かについても、副作用症状リストを用いて確認している。
【０１９２】
（添付文書）
現在、全ての薬剤の添付文書はテキスト化されて、添付文書データベース（図示せず）として提供されている。
【０１９３】
薬剤の添付文書は公的文書であり、そのレイアウトと記載内容は定められている。図１９に薬剤の添付文書のレイアウトを示し、図２０に薬剤「ランソプラゾールＯＤ錠３０ｍｇ」の添付文書の一部を示す。
【０１９４】
図１９に示すように、添付文書には、薬剤名と共に、効果・効能、用法・容量、使用上の注意等が記載されている。使用上の注意には、副作用（重大な副作用、その他の副作用）が含まれている。
【０１９５】
図２０に示すように、薬剤「ランソプラゾールＯＤ錠３０ｍｇ」の副作用としては「重大な副作用」として「アナフィラキシー、ショック」「汎血球減少、無顆粒球症、溶血性貧血、顆粒球減少、血小板減少、貧血」「重篤な肝機能障害」等が記載されている。
【０１９６】
（本実施形態の決定ルール）
本実施形態では、添付文書データベースに加えて、更に、症状を表現する言葉のゆらぎを吸収する症状ゆらぎ辞書（図示せず）と、図８に示す副作用の症状を示す副作用症状テーブルとを用いて、入力された症状が処方された薬剤と関連しているか否かを決定する。
【０１９７】
（症状ゆらぎ辞書）
言葉のゆらぎとは、表記の揺れや同じ意味の別表現のことである。本実施形態では、患者の症状を表す言葉に限定して、その言葉のゆらぎを吸収するための症状ゆらぎ辞書（図示せず）を用意する。症状ゆらぎ辞書は、これまでの知識や経験に基づいて作成され、必要に応じて適宜更新される。
【０１９８】
例えば、症状ゆらぎ辞書では、「めまい」「目眩」「メマイ」「ふらつき」「フラツキ」は同じ症状を表すものとして、ひとつのグループとして取り扱われる。
【０１９９】
（副作用症状テーブル）
副作用症状テーブルは、副作用について、その副作用がもたらす様々な症状が記載されたデータベースである。この副作用症状テーブルは、これまでの知識や経験に基づいて作成され、必要に応じて適宜更新される。
【０２００】
図８は、本実施形態の薬剤師業務支援システムにおける副作用症状テーブルである。
【０２０１】
例えば、「汎血球減少」の症状として、「あおあざができる」「めまい」「歯ぐきの出血」「耳鳴り」「出血しやすい」…があることが示されている。
【０２０２】
（症状関連ボタン）
入力された症状が、処方された薬剤と関連している場合には「□（症状関連ボタン）」が表示され、処方された薬剤と関連していない場合には「−（症状関連無し）」が表示される。
【０２０３】
次のルールにより、入力された症状が、処方されたある薬剤と関連しているか否かを決定する。
【０２０４】
ルールＰ：入力された症状が添付文書内に副作用として記載されている場合は関連ありと判断する。
【０２０５】
例えば、入力された症状「めまい」が添付文書内に副作用として記載されている場合である。
【０２０６】
ルールＱ：症状ゆらぎ辞書を参照して、入力された症状と同じグループの症状が添付文書内に副作用として記載されている場合は関連ありと判断する。
【０２０７】
例えば、入力された症状「めまい」は添付文書内に副作用として記載されていないが、症状ゆらぎ辞書により同じグループである「ふらつき」が添付文書内に副作用として記載されている場合である。
【０２０８】
ルールＲ：副作用症状テーブルを参照して、入力された症状をもたらす副作用が添付文書内に副作用として記載されている場合は関連ありと判断する。
【０２０９】
例えば、図８の副作用症状テーブルと図２０の添付文書を用いて判断する。入力された症状「めまい」自体は、図２０の添付文書内の副作用として記載されていない。図８の副作用症状テーブルを参照すると、症状「めまい」をもたらす副作用として「汎血球減少」がある。図２０の添付文書には副作用として「汎血球減少（矢印）」が記載されている。したがって、関連ありと判断する。
【０２１０】
ルールＳ：症状ゆらぎ辞書を参照して、入力された症状と同じグループとされる症状に着目し、副作用症状テーブルを参照して、その着目した症状をもたらす副作用が添付文書内に副作用として記載されている場合は関連ありと判断する。
【０２１１】
例えば、症状ゆらぎ辞書によれば「症状Ａ１」「症状Ａ２」「症状Ａ３」「症状Ａ４」は同じグループの症状とされる。入力された「症状Ａ」自体は、添付文書内の副作用として記載されていない。副作用症状テーブルを参照すると、「症状Ａ」と同じグループとされる「症状Ｂ」をもたらす「副作用Ａ」がある。添付文書には副作用として「副作用Ａ」が記載されている。したがって、関連ありと判断する。
【０２１２】
なお、入力された症状が処方されたある薬剤と関連しているか否かの判断については、上記の全てのルールＰ、ルールＱ、ルールＲ、ルールＳを適用して判断してもよいし、全てのルールＰ、ルールＱ、ルールＲ、ルールＳから一部のルールを除外して判断してもよいし、他のルールを追加して判断してもよい。
【０２１３】
（疑われる副作用とその他の症状）
図１８の副作用確認画面８０の処方薬剤処方関連表示欄８０Ａにおいて、処方された薬剤の副作用の詳細を確認したい場合には、確認したい副作用の□（症状関連ボタン）をクリックする。
【０２１４】
図１８に示すように、薬剤「ランソプラゾールＯＤ錠３０ｍｇ」の症状「めまい」「立ちくらみ」の□（症状関連ボタン）がクリックされ、「アスピリン腸溶錠１００ｍｇ」の症状「めまい」の□（症状関連ボタン）がクリックされたとする。そして「選択した医薬品の詳細を表示」ボタンをクリックすると、図２１に示すような副作用とその他の症状画面８０Ｃが表示される。
【０２１５】
副作用とその他症状画面８０Ｃには、図８の副作用症状テーブルに基づいて、入力した症状に関連する副作用を表示する。
【０２１６】
図２１では、「めまいの副作用」として、薬剤「ランソプラゾールＯＤ錠３０ｍｇ」について副作用「めまい」「ショック」「溶血性貧血」が表示され、薬剤「アスピリン腸溶錠１００ｍｇ」について副作用「めまい」「汎血球減少」「貧血」が表示されている。
【０２１７】
また「立ちくらみの副作用」として、薬剤「ランソプラゾールＯＤ錠３０ｍｇ」について症状「立ちくらみ」「アナフィラキシーショック」「ショック」「マロリー・ワイス症候群」が表示され、薬剤「アスピリン腸溶錠１００ｍｇ」について「アナフィラキシーショック」…が表示されている。
【０２１８】
薬剤「ランソプラゾールＯＤ錠３０ｍｇ」について副作用「ショック」「溶血性貧血」が表示されているのは、図８の副作用症状テーブルに基づき、症状「めまい」をもたらす副作用「ショック」「溶血性貧血」が薬剤「ランソプラゾールＯＤ錠３０ｍｇ」の添付文書に記載されているからである。
【０２１９】
薬剤「アスピリン腸溶錠１００ｍｇ」について副作用「汎血球減少」「貧血」が表示されているのは、図８の副作用症状テーブルに基づき、症状「めまい」をもたらす副作用「汎血球減少」「貧血」が薬剤「アスピリン腸溶錠１００ｍｇ」の添付文書に記載されているからである。
【０２２０】
薬剤「ランソプラゾールＯＤ錠３０ｍｇ」について副作用「アナフィラキシーショック」「ショック」「マロリー・ワイス症候群」が表示されているのは、図８の副作用症状テーブルに基づき、症状「立ちくらみ」をもたらす副作用「アナフィラキシーショック」「ショック」「マロリー・ワイス症候群」が薬剤「ランソプラゾールＯＤ錠３０ｍｇ」の添付文書に記載されているからである。
【０２２１】
（副作用の症状の詳細）
図２１の副作用確認画面８０の副作用とその他の症状画面８０Ｃにおいて、副作用の詳細の詳細を確認したい場合には、確認したい副作用の□ボタンをクリックする。
【０２２２】
図２１に示すように、薬剤「アスピリン腸溶錠１００ｍｇ」の副作用「汎血球減少」の□ボタンをクリックし、「ＯＫ」ボタンをクリックすると、図２２に示すような副作用の症状の詳細画面８０Ｄが表示される。
【０２２３】
図２２に示すように、副作用の症状の詳細画面８０Ｄには、図８の副作用症状テーブルに基づき、副作用「汎血球減少」の症状「倦怠感」「吐き気」「めまい」「かゆみ」…が表示される。
【０２２４】
このように、本実施形態によれば、薬剤師等の操作者は、図２１に示すような副作用とその他の症状画面８０Ｃや、図２２に示すような副作用の症状の詳細画面８０Ｄにより、副作用と症状について多角的な知識を得ることができ、患者に対して副作用について適切な指導を行うことができる。
【０２２５】
［変形実施形態］
上記実施形態に限らず種々の変形が可能である。
【０２２６】
例えば、上記実施形態では、薬局での患者に対する服薬指導であったが、これに限らない。例えば、病院での医者や看護師等の医療従事者による患者に対する服薬指導に本発明を適用してもよい。
【符号の説明】
【０２２７】
１０…薬剤師業務支援システム
２０…調剤業務サーバー
２２…調剤業務支援クラウド
２４…支援サーバー
３０…インターネット
４０、４１、４２…薬局
４０Ａ、４１Ａ、４２Ａ…薬歴システム
５０…患者薬歴情報画面
５０Ａ…患者情報欄
５０Ｂ…調剤一覧欄
５０Ｃ…患者特記情報欄
５０Ｄ…今回処方欄
５０Ｅ…前回処方欄
５０Ｆ…前々回処方欄
５０Ｇ…副作用指導ボタン
５０Ｈ…副作用確認ボタン
６０…副作用指導画面
６０Ａ…画面タイトル欄
６０Ｂ…服用期間選択欄
６０Ｃ…医薬品一覧欄
６０Ｄ…薬剤副作用欄
６０Ｄａ、６０Ｄｂ、６０Ｄｃ、６０Ｄｄ…副作用表示欄
６０Ｄｅ…追加ボタン
６０Ｄｆ…クリアボタン
６０Ｅ…副作用指導メモ欄
６０Ｅａ…今回指導メモ欄
６０Ｅｂ…次回指導メモ欄
７０…患者症状入力画面
７０Ａ…直接症状入力欄
７０Ａａ…右矢印ボタン
７０Ｂ…選択症状入力欄
７０Ｂａ…右矢印ボタン
７０Ｃ…入力症状欄
８０…副作用確認画面
８０Ａ…処方薬剤処方関連表示欄
８０Ｂ…症状原因表示欄
８０Ｃ…副作用とその他症状画面
８０Ｄ…副作用の症状の詳細画面
【図１】
2020013512.tif 000003
【図２】
2020013512.tif 000004
【図３】
2020013512.tif 000005
【図４】
2020013512.tif 000006
【図５】
2020013512.tif 000007
【図６】
2020013512.tif 000008
【図７】
2020013512.tif 000009
【図８】
2020013512.tif 000010
【図９】
2020013512.tif 000011
【図１０】
2020013512.tif 000012
【図１１】
2020013512.tif 000013
【図１２】
2020013512.tif 000014
【図１３】
2020013512.tif 000015
【図１４】
2020013512.tif 000016
【図１５】
2020013512.tif 000017
【図１６】
2020013512.tif 000018
【図１７】
2020013512.tif 000019
【図１８】
2020013512.tif 000020
【図１９】
2020013512.tif 000021
【図２０】
2020013512.tif 000022
【図２１】
2020013512.tif 000023
【図２２】
2020013512.tif 000024
【手続補正書】
【提出日】平成31年3月25日(2019.3.25)
【手続補正１】
【補正対象書類名】特許請求の範囲
【補正対象項目名】全文
【補正方法】変更
【補正の内容】
【特許請求の範囲】
【請求項１】
薬剤師の業務を支援する薬剤師業務支援システムであって、
患者の処方箋の処方情報に基づく処方日数と服用歴から計算された第１の服用期間に処方された薬剤の服用歴と、前記患者の処方箋の処方情報に基づく処方日数と服用歴から計算された前記第１の服用期間よりも長い第２の服用期間に処方された薬剤の服用歴とを含む患者テーブルと、
薬剤の副作用発現頻度を示す副作用発現頻度テーブルであって、各薬剤の各副作用の報告件数に基づいて計算された各薬剤の各副作用の発現頻度を含み、前記発現頻度は、前記副作用の発現時期が前記第１の服用期間中である第１の発現頻度と、前記副作用の発現時期が前記第２の服用期間中である第２の発現頻度とを含む副作用発現頻度テーブルとに基づいて、
前記患者が処方された薬剤のうち、前記患者テーブルに含まれる前記第１の服用期間の薬剤の副作用情報を表示する場合には、
前記薬剤の副作用情報は、前記副作用発現頻度テーブルに含まれる前記薬剤の複数の副作用と、前記複数の副作用の前記第１の服用期間の前記第１の発現頻度と前記第２の服用期間の前記第２の発現頻度とを含み、前記薬剤の複数の副作用のうち、前記第１の服用期間の前記第１の発現頻度が高い副作用の方を優先的に表示する
ことを特徴とする薬剤師業務支援システム。
【請求項２】
請求項１記載の薬剤師業務支援システムにおいて、
前記患者テーブルは、前記患者の性別、年齢、罹病歴、アレルギー歴のいずれかを含む患者属性を更に含み、
前記患者が処方された薬剤のうち、前記患者属性に基づく副作用リスクの大きい薬剤の副作用情報を優先的に表示する
ことを特徴とする薬剤師業務支援システム。
【請求項３】
請求項１又は２記載の薬剤師業務支援システムにおいて、
前記薬剤の服用期間とは、前記患者が前記薬剤を最初に服用した日からの期間である
ことを特徴とする薬剤師業務支援システム。
【請求項４】
請求項１乃至３のいずれか１項に記載の薬剤師業務支援システムにおいて、
前記複数の薬剤のうち、ハイリスク薬の薬剤の方の副作用情報を優先的に表示する
ことを特徴とする薬剤師業務支援システム。
【手続補正２】
【補正対象書類名】明細書
【補正対象項目名】０００８
【補正方法】変更
【補正の内容】
【０００８】
本発明に係る薬剤師業務支援システムは、薬剤師の業務を支援する薬剤師業務支援システムであって、患者の処方箋の処方情報に基づく処方日数と服用歴から計算された第１の服用期間に処方された薬剤の服用歴と、前記患者の処方箋の処方情報に基づく処方日数と服用歴から計算された前記第１の服用期間よりも長い第２の服用期間に処方された薬剤の服用歴とを含む患者テーブルと、薬剤の副作用発現頻度を示す副作用発現頻度テーブルであって、各薬剤の各副作用の報告件数に基づいて計算された各薬剤の各副作用の発現頻度を含み、前記発現頻度は、前記副作用の発現時期が前記第１の服用期間中である第１の発現頻度と、前記副作用の発現時期が前記第２の服用期間中である第２の発現頻度とを含む副作用発現頻度テーブルとに基づいて、前記患者が処方された薬剤のうち、前記患者テーブルに含まれる前記第１の服用期間の薬剤の副作用情報を表示する場合には、前記薬剤の副作用情報は、前記副作用発現頻度テーブルに含まれる前記薬剤の複数の副作用と、前記複数の副作用の前記第１の服用期間の前記第１の発現頻度と前記第２の服用期間の前記第２の発現頻度とを含み、前記薬剤の複数の副作用のうち、前記第１の服用期間の前記第１の発現頻度が高い副作用の方を優先的に表示することを特徴とする。
【手続補正３】
【補正対象書類名】明細書
【補正対象項目名】０００９
【補正方法】変更
【補正の内容】
【０００９】
上述した薬剤師業務支援システムにおいて、前記患者テーブルは、前記患者の性別、年齢、罹病歴、アレルギー歴のいずれかを含む患者属性を更に含み、前記患者が処方された薬剤のうち、前記患者属性に基づく副作用リスクの大きい薬剤の副作用情報を優先的に表示するようにしてもよい。
【手続補正４】
【補正対象書類名】明細書
【補正対象項目名】００１３
【補正方法】削除
【補正の内容】
【手続補正５】
【補正対象書類名】明細書
【補正対象項目名】００１４
【補正方法】削除
【補正の内容】
【手続補正６】
【補正対象書類名】明細書
【補正対象項目名】００１５
【補正方法】削除
【補正の内容】
【手続補正７】
【補正対象書類名】明細書
【補正対象項目名】００１６
【補正方法】変更
【補正の内容】
【００１６】
以上の通り、本発明によれば、薬剤師の業務を支援する薬剤師業務支援システムであって、患者の処方箋の処方情報に基づく処方日数と服用歴から計算された第１の服用期間に処方された薬剤の服用歴と、患者の処方箋の処方情報に基づく処方日数と服用歴から計算された第１の服用期間よりも長い第２の服用期間に処方された薬剤の服用歴とを含む患者テーブルと、薬剤の副作用発現頻度を示す副作用発現頻度テーブルであって、各薬剤の各副作用の報告件数に基づいて計算された各薬剤の各副作用の発現頻度を含み、発現頻度は、副作用の発現時期が第１の服用期間中である第１の発現頻度と、副作用の発現時期が第２の服用期間中である第２の発現頻度とを含む副作用発現頻度テーブルとに基づいて、患者が処方された薬剤のうち、患者テーブルに含まれる第１の服用期間の薬剤の副作用情報を表示する場合には、薬剤の副作用情報は、副作用発現頻度テーブルに含まれる薬剤の複数の副作用と、複数の副作用の第１の服用期間の第１の発現頻度と第２の服用期間の第２の発現頻度とを含み、薬剤の複数の副作用のうち、第１の服用期間の第１の発現頻度が高い副作用の方を優先的に表示するようにしたので、各患者に対して、その時点で、最も発現する可能性が高くかつ発現すると重大な被害になりうる副作用を予防するための適切な服薬指導を支援することができる。
【手続補正８】
【補正対象書類名】明細書
【補正対象項目名】００１７
【補正方法】削除
【補正の内容】